(57)【要約】【課題】大掛かりな作業を伴わないで増床や吹き抜け形成できるだけでなく、増床部分又は吹き抜け形成前の床部分の構造体として十分な強度確保も併せて実現すること。【解決手段】二階建て建物１０では、隣接する上下階の境界部に床構造体が設けられている。この床構造体は第１床梁３１と第２床梁３２とで構成され、上下階連通部２５が設けられた区画Ａを有している。区画Ａの長辺部分Ａ１となる第１床梁３１ａと第２床梁４１ｃとは互いに平行をなし、その両者の間には可動小梁５１が架け渡されている。可動小梁５１は、その架け渡された状態で、前記床梁３１ａ，４１ｃの延びる方向に沿って移動可能に支持されている。【選択図】図１
2011226192.tif 000002
【特許請求の範囲】
【請求項１】
隣接する上下階の境界部に床構造体が設けられる複数階建ての建物において、
前記床構造体は、
前記境界部に設けられ、同じ方向に延びる一対の第１固定梁と、
前記一対の第１固定梁の間に架け渡された状態で、当該第１固定梁の延びる方向に沿って移動可能に支持された可動梁と、
を備えたことを特徴とする建物。
【請求項２】
前記可動梁を、その両端部で前記第１固定梁に着脱可能に連結する連結手段をさらに備えたことを特徴とする請求項１に記載の建物。
【請求項３】
前記可動梁の長手方向両端部には被支持部が設けられ、その被支持部は、形鋼によって構成された前記第１固定梁のフランジに支持されていることを特徴とする請求項１又は２に記載の建物。
【請求項４】
前記可動梁の移動時に前記第１固定梁に支持された状態を維持するように、その可動梁の移動を案内する案内手段を備えたことを特徴とする請求項１乃至３のいずれか１項に記載の建物。
【請求項５】
前記一対の第１固定梁間には、上下階を連通可能な吹き抜け用開口部が設けられ、前記可動梁は、前記吹き抜け用開口部の一部に収納されるとともに、その収納状態から引き出されて増床部分の床構造体として用いられる増床用小梁であることを特徴とする請求項１乃至４のいずれか１項に記載の建物。
【請求項６】
前記吹き抜け用開口部において、前記第1固定梁の上面側及び下面側には、前記増床用小梁が収納された状態でその増床用小梁を隠す面材が設けられていることを特徴とする請求項５に記載の建物。
【請求項７】
前記面材で隠された前記収納状態の増床用小梁を引き出す引き出し口が設けられ、その引き出し口には着脱自在とされた蓋部材が設けられていることを特徴とする請求項６に記載の建物。
【請求項８】
前記吹き抜け用開口部は、前記第１固定梁と、その第1固定梁に交差し、かつ前記増床用小梁と平行をなす一対の第２固定梁とで囲まれて形成され、前記増床用小梁を収納する小梁収納部は、前記吹き抜け用開口部において、前記一対の第２固定梁の一方側又は双方側に設けられていることを特徴とする請求項５乃至７のいずれか１項に記載の建物。
【請求項９】
収納状態から引き出された前記増床用小梁について、その吹き抜け用開口部での設置箇所の位置決めを行う位置決め手段を備えたことを特徴とする請求項５乃至８のいずれか１項に記載の建物。
【請求項１０】
前記増床用小梁と前記第１固定梁とは、形鋼によって構成された前記第１固定梁のウエブに、前記増床用小梁の端部に設けられた当接板部を吹き抜け側から当接させ、その当接部分で前記ウエブ及び前記当接板部を挿通するボルトによって連結される構成であり、
前記位置決め手段は、前記増床用小梁の設置箇所で前記ウエブに形成されたボルト孔と、前記ウエブの反吹き抜け側の面で前記ボルト孔に合わせた位置に取り付けられたナットとを有することを特徴とする請求項９に記載の建物。
【発明の詳細な説明】
【技術分野】
【０００１】
本発明は、改築等により、吹き抜け空間に増床したり、床部分に吹き抜け空間を形成したりすることが可能な建物に関する。
【背景技術】
【０００２】
一般に、建物に吹き抜け空間が設けられている場合、その吹き抜け空間の上下境界部に、下階空間とその直上階空間とを連通する吹き抜け開口部が形成されている。このような吹き抜け開口部を有する吹き抜け空間により、天井を高くして室内での開放感を向上させることが可能となる。
【０００３】
ただこの場合、吹き抜け開口部が形成されれば、その分、上階部分の床面積は狭くなる。このため、家族構成やライフスタイルの変更により、吹き抜け空間をつぶして増床しようとする場合には、内装材を撤去したり、床梁等の横架材を新たに設置したりする等、大掛かりな作業が必要となる。
【０００４】
そこで、従来、ユニット式建物において、建物ユニットの床パネルをユニット長辺方向に沿って開閉床と固定床とに分割し、開閉床を固定床の下方へスライド移動させて収納するようにした技術が提案されている（特許文献１参照）。この従来技術によれば、開閉床が固定床の下方に収納された状態では、その開閉床の存在部分が開口して吹き抜け空間が形成される。一方、開閉床が引き出された状態では、吹き抜けが閉塞されて床が形成される。これにより、大掛かりな作業を伴わずに、必要に応じて吹き抜けを形成したり、床を形成したりすることができる。
【先行技術文献】
【特許文献】
【０００５】
【特許文献１】特開平６−５７８２７号公報
【発明の概要】
【発明が解決しようとする課題】
【０００６】
しかしながら、上記従来技術では、開閉床をスライド移動させるべく、その開閉床の支持構造は固定床のそれとは異なる構造となっている。すなわち、固定床はユニット長辺側の下梁間に架け渡された小梁で支持されているの対して、開閉床はユニット短辺方向の両端部で下梁に支持されるだけのものとなっている。このため、開閉床部分での構造体としての強度が弱いという新たな問題が生じる。
【０００７】
そこで、本発明は、大掛かりな作業を伴わないで増床や吹き抜け形成できるだけでなく、増床部分又は吹き抜け形成前の床部分の構造体として、十分な強度確保も併せて実現できる建物の提供を主たる目的とするものである。
【課題を解決するための手段】
【０００８】
本発明は、上記課題を解決するために、以下の手段を採用した。
【０００９】
すなわち、第１の発明では、隣接する上下階の境界部に床構造体が設けられる複数階建ての建物において、前記床構造体は、前記境界部に設けられ、同じ方向に延びる一対の第１固定梁と、前記一対の第１固定梁の間に架け渡された状態で、当該第１固定梁の延びる方向に沿って移動可能に支持された可動梁と、を備えた。
【００１０】
この第１の発明によれば、一対の第１固定梁間で可動梁を移動させて第1固定梁に連結すれば、その可動梁を床構造体とする床を形成できる。一方、第1固定梁に連結された可動梁の連結を解き、その可動梁を移動させて形成された開口領域を利用すれば、そこに吹き抜け空間を設けることができる。
【００１１】
このように、第1固定梁間に床形成または吹き抜け形成を行う場合には、第１固定梁間に架け渡されている可動梁を移動させれば足りる。このため、第1固定梁間に新たな梁を設置したり、既存の梁を除去したりすることは不要であり、大掛かりな作業を伴わない。しかも、床形成される場合には、可動梁が第１固定梁に連結されることにより、床部分では十分な強度が確保された床構造体となる。すなわち、この第１の発明によれば、床形成や吹き抜け形成における作業の容易化と、床構造体としての十分な強度確保とを併せて実現できる。
【００１２】
第２の発明では、前記可動梁を、その両端部で前記第１固定梁に着脱可能に連結する連結手段をさらに備えた。
【００１３】
この第２の発明によれば、第1固定梁間に床形成すべく、可動梁が第1固定梁に連結された後に、その連結を解けば可動梁は再び移動可能となる。このため、可動梁によって形成された状態であっても、その状態から吹き抜けが形成される状態にすることができる。
【００１４】
なお、前記可動梁は、前記一対の第１固定梁の上面を超えない領域に設けられていることが好ましい。この構成では、可動梁が第１固定梁上に設置された床部と干渉しない位置に設けられることになり、第１固定梁間を可動梁が移動する場合にその移動が床部によって阻害されない。
【００１５】
第３の発明では、前記可動梁の長手方向両端部には被支持部が設けられ、その被支持部は、形鋼によって構成された前記第１固定梁のフランジに支持されている。
【００１６】
この第３の発明によれば、第１固定梁の一部であるフランジを利用して可動梁端部の被支持部が支持されるため、可動梁の支持部材を第１固定梁に新たに設ける必要がなくなる。これにより、可動梁の設置構成を簡易化できるし、その設置作業も容易に行える。
【００１７】
なお、前記被支持部とその被支持部と支持する前記第１固定梁のフランジ部との間には、前記可動梁の移動に伴う前記被支持部の移動を円滑化する滑動手段が設けられることが好ましい。これにより、可動梁を移動させやすくなるため、増床や吹き抜け形成における作業の容易化を促進できる。
【００１８】
第４の発明では、前記可動梁の移動時に前記第１固定梁に支持された状態を維持するように、その可動梁の移動を案内する案内手段を備えた。
【００１９】
この第４の発明によれば、案内手段によって、可動梁はその移動時でも第１固定梁に支持された状態が維持されるため、その移動中に第１固定梁から外れてしまうことを防止できる。この案内手段として具体的には、前記可動梁がその長手方向両端部で第１固定梁と面接触した状態で架け渡される構成を採用することが考えられる。また、第１固定梁のフランジに案内溝が形成され、その案内溝に案内される案内部が前記可動梁の被支持部に設けられた構成を採用してもよい。
【００２０】
第５の発明では、前記一対の第１固定梁間には、上下階を連通可能な吹き抜け用開口部が設けられ、前記可動梁は、前記吹き抜け用開口部の一部に収納されるとともに、その収納状態から引き出されて増床部分の床構造体として用いられる増床用小梁であるとした。
【００２１】
この第５の発明によれば、前記可動梁は増床用小梁であり、これを収納状態から引き出して第１固定梁に連結すれば、第１固定梁及び増床用小梁を床構造体とした床を吹き抜け用開口部に形成できる。
【００２２】
なお、前記増床用小梁は、複数設けられることが好ましい。この場合、増床部分の用途に応じて引き出される増床用小梁の数を変更して、その疎密を任意に設定することが可能となる。すべての増床用小梁を引き出すことにより、床構造体として高い強度を確保したり（密な状態）、それより低い強度で足りる場合には、一部の増床用小梁だけの引き出しにとどめたりする（疎な状態）ようにしてもよい。
【００２３】
第６の発明では、前記吹き抜け用開口部において、前記第1固定梁の上面側及び下面側には、前記増床用小梁が収納された状態でその増床用小梁を隠す面材が設けられている。
【００２４】
この第６の発明により、引き出される前の収納状態にある増床用小梁は、その上下に設けられた面材によって隠されているため、吹き抜け空間を形成した場合にその開放感が増床用小梁によって阻害されない。
【００２５】
第７の発明では、前記面材で隠された前記収納状態の増床用小梁を引き出す引き出し口が設けられ、その引き出し口には着脱自在とされた蓋部材が設けられている。
【００２６】
この第７の発明によれば、上下の面材間に収納された増床用小梁を引き出す引き出し口は、通常では蓋部材によって塞がれ、増床用小梁を引き出す場合に当該蓋部材が取り外される。これにより、増床用小梁の収納状態において、埃等が開口部を通じて面材間の収納空間（小梁収納部）に入り込むことを抑制できる。収納空間に埃等が入り込んで増床用小梁の支持部分に堆積すると、その埃等は増床用小梁の移動に支障をきたす。このため、埃等の入り込みを抑制することの意義は大きい。また、蓋部材の存在により、吹き抜け空間の美観を維持することもできる。
【００２７】
第８の発明では、前記吹き抜け用開口部は、前記第１固定梁と、その第1固定梁に交差し、かつ前記増床用小梁と平行をなす一対の第２固定梁とで囲まれて形成され、前記増床用小梁を収納する小梁収納部は、前記吹き抜け用開口部において、前記一対の第２固定梁の一方側または双方側に設けられている。
【００２８】
この第８の発明によれば、増床用小梁が第２固定梁に近接して収納されることになり、増床用小梁の移動によって吹き抜け用開口部に形成される開口領域として、広い開口面積を確保できる。特に、複数の増床用小梁が設けられる場合に、そのメリットが大きい。また、双方側に小梁収納部が設けられるとすれば、複数の増床用小梁を両側に分けて収納することが可能となり、その点でも開口面積の確保に寄与できる。さらに、増床用小梁は第２固定梁と平行な状態で配置されるため、増床用小梁を第２固定梁側に寄せた場合に、その両者が非平行に配置される場合に比べて無駄な隙間が設けられず、コンパクトに増床用小梁を収納できる。
【００２９】
第９の発明では、収納状態から引き出された前記増床用小梁について、その吹き抜け用開口部での設置箇所の位置決めを行う位置決め手段を備えた。
【００３０】
この第９の発明によれば、位置決め手段により、収納状態から引き出された増床用小梁は、所定の設置箇所に位置決めされる。そこで、床構造体として必要な強度が確保される位置を予め特定しておき、その位置に位置決めされるようにしておけば、床形成作業時において設置箇所を特定する必要がなくなる。これにより、床形成作業の容易化を促進できる。
【００３１】
第１０の発明では、前記増床用小梁と前記第１固定梁とは、形鋼によって構成された前記第１固定梁のウエブに、前記増床用小梁の端部に設けられた当接板部を吹き抜け側から当接させ、その当接部分で前記ウエブ及び前記当接板部を挿通するボルトによって連結される構成であり、前記位置決め手段は、前記増床用小梁の設置箇所で前記ウエブに形成されたボルト孔と、前記ウエブの反吹き抜け側の面で前記ボルト孔に合わせた位置に取り付けられたナットとを有する。
【００３２】
この第１０の発明によれば、移動させた増床用小梁を、その当接板部に設けられたボルト孔と前記第１固定梁のウエブに設けられたボルト孔とが合う位置に配置する。そして、両ボルト孔にボルトを挿入すれば、増床用小梁はその設置箇所に位置決めされる。この場合に、当接板部のボルト孔とウエブのボルト孔とを完全に一致させなくても、ボルトを挿入してナットに螺合させれば、増床用小梁をその設置位置に確実に位置決めすることができる。
【００３３】
なお、前記位置決め手段は、発光素子と受光素子とを有して、前記発光素子での発光を前記受光素子が受光した場合に信号を出力する位置決めセンサであり、前記発光素子及び前記受光素子の一方が前記増床用小梁に、他方が前記第１固定梁における前記増床用小梁の設置箇所に設けられていることが好ましい。
【００３４】
この構成によれば、移動させた増床用小梁がその設置箇所に配置されると、発光素子での発光を受光素子が受光して前記位置決めセンサから信号が出力される。この信号出力に基づいて、増床用小梁がその設置箇所に配置されたことを確認できる。この場合、第１固定梁に設置された素子の位置を適宜に変更することができるため、ボルト孔を形成する前述の構成とは異なり、増床用小梁の設置箇所の変更を容易に行うことができる。
【００３５】
また、前記増床用小梁が前記吹き抜け用開口部での設置箇所に配置されたことを検出する位置検出手段と、前記位置検出手段が非検出の場合に、前記増床用小梁が前記設置箇所に配置されていない旨を報知する報知手段と、を備えてもよい。
【００３６】
この構成によれば、移動させた増床用小梁がその設置箇所に配置されていない場合は、報知手段によりその旨が作業者に報知される。そして、増床用小梁がその設置箇所に配置された段階でその報知がなされなくなる。これにより、床形成時において、作業者は増床用小梁を移動させながらそれが所定の設置箇所に配置されたか否かを判断することができるため、作業性を向上させることができる。
【図面の簡単な説明】
【００３７】
【図１】二階部分の床構造体を示す平面図であり、（ａ）は吹き抜け開口部が設けられた状態を、（ｂ）はその吹き抜け開口部に梁が設けられた状態を示す。
【図２】図１（ａ）におけるＸ−Ｘ断面図。
【図３】図１（ａ）におけるＹ−Ｙ断面図。
【図４】可動梁の一端部と第１床梁との連結構成を示す分解斜視図。
【図５】図１（ａ）におけるＺ−Ｚ断面図であり、（ａ）は可動梁が収納された状態を、（ｂ）は可動梁が引き出された状態を示す。
【図６】可動梁の一端部と第１床梁との連結構造を示す図。
【図７】本実施形態の建物を示す概略縦断面図。
【発明を実施するための形態】
【００３８】
以下に、実施形態について図面を参照しつつ説明する。この実施の形態では、鉄骨軸組工法によって建築された二階建て建物に具体化されている。
【００３９】
最初に、二階建て建物全体の概要を図７に基づいて説明する。なお、図７はこの実施形態の建物を示す概略縦断面図である。この図７に示されているように、二階建て建物１０は、二階建ての建物本体１１と、その建物本体１１の上方に配設される屋根１２とにより構成されている。建物本体１１は一階部分２１と二階部分２２とを有しており、それら一階部分２１と二階部分２２とは境界部２３によって区画されている。また、本建物１０においては、境界部２３の一部が取り除かれて、一階空間と二階空間とを連通する上下階連通部２５が形成されており、その上下階連通部２５を通じて上下階にまたがる吹き抜け空間２６が設けられている。
【００４０】
この建物１０の躯体構造として、多数の柱材及び梁材（天井梁や床梁等）が組み合わされている。柱材間、及び梁材間には必要に応じてラチス柱や水平ブレース等の補強材が設けられ、躯体の耐震性能が高められている。図１は、このような躯体構造のうち、二階部分２２における床構造体を示す平面図である。この図１において、（ａ）は前記上下階連通部２５が設けられた状態を示し、（ｂ）はその上下階連通部２５に梁５１が設けられた状態を示している。
【００４１】
まずは図１（ａ）を用いて床構造体の一般的構成を説明すると、二階部分２２の床構造体は、床大梁となる第１床梁３１（３１ａを含む）と第２床梁４１（４１ａ〜４１ｃ）とが相互に連結されてなる。この第１床梁３１及び第２床梁４１は、この実施形態ではいずれもＨ形鋼により構成されている。ただ、溝形鋼等の他の形鋼により構成されていてもよい。第１床梁３１は建物１０の外壁部に沿って配置され、第２床梁４１はその内側に配置されている。第２床梁４１により、前記第１床梁３１によって形成された領域が、平面視四角形状をなす複数（図１は４つ）の領域に区画されている。第２床梁４１によって区画されたうちの一区画Ａには、前記上下階連通部２５が形成されている。この区画Ａは、吹き抜け用開口部に相当する。
【００４２】
ところで、この実施形態の建物１０は、吹き抜け部分の増床に好適な構成を有している。詳しくは、大掛かりな作業を伴わない増床と、梁を用いることで増床部分の強度確保との両立を実現する。前記図１（ｂ）は、その増床のために梁が設置された状態を示している。以下に、その特徴的構成について、前記図１を参照しながら全体の概要をまず説明し、その後、個々の具体的な構成についての他の図面を参照しながら詳細に説明する。
【００４３】
まず、全体の概要は次の通りである。
【００４４】
前記図１（ａ）に示されているように、上下階連通部２５が形成される区画Ａには、上下階連通部２５の周辺領域において、可動梁または増床用小梁としての可動小梁５１が設置されている。この実施形態では、区画Ａはその平面視において矩形状に形成されている。そのため、可動小梁５１は、区画Ａを形成する床梁３１，４１のうち、上下階連通部２５を挟んで平行に延びる長辺部分Ａ１（第１床梁３１ａ及び第２床梁４１ｃ）の間に架け渡されている。この場合、同じく区画Ａを形成する床梁３１，４１のうち、上下階連通部２５を挟んで平行に延びるとともに、前記長辺部分Ａ１と直交する短辺部分Ａ２（第２床梁４１ａ，４１ｂ）と平行をなしている。この状態から、可動小梁５１は前記長辺部分Ａ１の延びる方向に沿って、その長辺部分Ａ１との直交状態を維持しながら移動し、上下階連通部２５に引き出される。
【００４５】
ここで、前記可動小梁５１は、それが上下階連通部２５に引き出された場合に、上下階連通部２５に形成される床構造体として十分な強度が確保される本数が設けられている。すなわち、図１（ｂ）に示されているように、複数の可動小梁５１が前記長辺部分の延びる方向に沿って引き出された後、強度確保に十分な間隔ごと（例えば、１ｍピッチ程度）で各可動小梁５１が配置されるような本数である。この実施形態では、４本の可動小梁５１が設置されている。
【００４６】
図１（ａ）に戻り、上下階連通部２５が設けられた状態では、前記複数の可動小梁５１が、前記長辺部分Ａ１の延びる方向（つまり、引き出し方向）の一方側に集められている。集められた各可動小梁５１は、前記境界部２３の階間２４、その中でも前記上下階連通部２５に隣接する部分に設けられた小梁収納部５２に収納されている。このため、上下階連通部２５を通じた吹き抜け空間２６の開放感が、可動小梁５１の存在によって阻害されることはない。
【００４７】
そして、図１（ｂ）に示されているように、上下階連通部２５に床を張って増床する場合には、各可動小梁５１が小梁収納部５２に収納された状態から上下階連通部２５へ引き出される。引き出された各可動小梁５１は等間隔を隔てて配置され、これが増床部分の床構造体となる。
【００４８】
ちなみに、この実施形態では、区画Ａの長辺部分Ａ１となる第１床梁３１ａ及び第２床梁４１ｃが第１固定梁に相当し、短辺部分Ａ２となる第２床梁４１ａ，４１ｂが第２固定梁に相当する。
【００４９】
次に、前記小梁収納部５２への収納状態における各可動小梁５１の設置構成について、図２を参照しながら詳しく説明する。図２は図１（ａ）におけるＸ−Ｘ断面図であり、上下階連通部２５の周辺部分のうちで小梁収納部５２における縦断面を示している。
【００５０】
前提として、一階部分２１と二階部分２２との境界部２３における一般的構成を簡単にみていく。図２に示されているように、二階部分２２の床梁３１，４１として、同図の左右方向に延びる前記第１床梁３１ａと、それと直交する第２床梁４１ｂとが設けられている。両床梁３１ａ，４１ｂの上には、ＡＬＣ（軽量気泡コンクリート）等の床材や床下地材等を含んで構成される床部６１が設けられている。また、両床梁３１ａ，４１ｂの下には、軽量鉄骨材等よりなる野縁や天井下地材等を含んで構成される天井部６２が設けられている。一階空間の天井部６２と二階空間の床部６１との間のスペースが前記階間２４となっている。ここでは、床部６１や天井部６２が面材に相当する。
【００５１】
なお、この実施形態の建物１０では、前記天井部６２の下方に一階空間が設けられ、内壁部６３によって吹き抜け空間２６と区画されている。この内壁部６３は、軽量鉄骨材等よりなる下地フレームや壁下地材等を含んで構成される。
【００５２】
前記階間２４において、上下階連通部２５を形成する内壁面と、第２床梁４１ｂとの間に複数の可動小梁５１を収納するに足りるスペースが確保され、そのスペースが小梁収納部５２とされている。上下階連通部２５の内壁面には、この小梁収納部５２が上下階連通部２５に向けて開放される開口部５３が設けられている。この開口部５３は、可動小梁５１が上下階連通部２５に引き出される場合にその引き出し口となる。そのため、開口部５３は可動小梁５１の高さと同じ縦寸法を少なくとも有し、横方向には、区画Ａの短辺部分Ａ２（図１（ａ）参照）の全域にわたって形成されている。
【００５３】
可動小梁５１が小梁収納部５２に収納された状態では、蓋部材としてのキャップ５４によって開口部５３が閉塞されている。この閉塞により、開口部５３がむき出しの状態とならず、小梁収納部５２への埃等の入り込みや、吹き抜け空間２６の美観低下が防止されている。
【００５４】
ここで、前記図１（ａ）において、区画Ａのもう一方の短辺部分Ａ２となる第２床梁４１ａ側の構成について言及すると、その第２床梁４１ａ側でも、概ね同じ構成よりなる境界部２３を有している。もっとも、そこでは小梁収納部５２が設けられておらず、第２床梁４１ａが内壁部６３の上方に設けられ、第２床梁４１ａは上下階連通部２５の内壁面に近接して配置されている（後述する図５参照）。
【００５５】
小梁収納部５２での構成に戻り、上記のように構成された小梁収納部５２に各可動小梁５１が収納されている。収納された各可動小梁５１は、いずれも床梁３１，４１と同じくＨ形鋼により構成されている。この可動小梁５１を、溝形鋼等の他の形鋼によって構成してもよい。収納状態での可動小梁５１は床梁３１，４１と同じ高さ位置に設けられ、その上には前記床部６１が設置されている。可動小梁５１の高さ寸法は床梁３１，４１のそれよりも若干小さく形成されており、可動小梁５１の引き出しが床部６１と干渉しないで行われるようになっている。
【００５６】
また、収納状態での各可動小梁５１は、その長手方向の両端部で前記区画Ａの長辺部分Ａ１に連結されている。つまり、一方の端部は第１床梁３１に連結され、他方の端部は第２床梁４１ｃに連結されている。その連結構造は、可動小梁５１の引き出しを可能とすべく、同可動小梁５１を第１床梁３１及び第２床梁４１ｃの延びる方向に沿って移動させる移動機構を備えている。その移動機構を備えた連結構造を、次に説明する。
【００５７】
はじめに、被連結側となる第１床梁３１ａ及び第２床梁４１ｃの構成について、図３を参照しながら詳しく説明する。図３は図１（ａ）におけるＹ−Ｙ断面図であり、区画Ａの長辺部分Ａ１間を短辺部分Ａ２と平行に切断した縦断面を示している。
【００５８】
図３に示されているように、二階部分２２の床梁３１，４１として、同図の左右方向に延びる前記第２床梁４１ａと、それと直交する第１床梁３１ａ及び第２床梁４１ｃとが設けられている。第２床梁４１ｃ側に設けられた境界部２３は、前述した通りの一般的構成を有している。すなわち、床梁４１ａ，４１ｃの上下に床部６１及び天井部６２がそれぞれ設けられ、両者の間に階間２４が形成されている。また、ここでも内壁部６３により吹き抜け空間２６と区画された一階空間が設けられている。
【００５９】
もっとも、ここでは前記可動小梁５１を収納する小梁収納部５２が存在しない。このため、内壁部６３の上方に第２床梁４１ｃが設けられ、その第２床梁４１ａは上下階連通部２５の内壁面に近接して配置されている。上下階連通部２５の内壁面には、この第２床梁４１ｃが上下階連通部２５に向けて露出させる開口部５５が設けられている。開口部５５は、可動小梁５１が上下階連通部２５に引き出される場合にその移動路となる。そのため、開口部５５は可動小梁５１の高さと同じ縦寸法を少なくとも有し、横方向には、区画Ａの長辺部分Ａ１（図１（ａ）参照）の全域にわたって形成されている。ここでも、通常は、開口部５５はキャップ５４によって閉塞されている。
【００６０】
前記第２床梁４１ｃにおいて、そのウエブ４２にはボルト孔４３が形成されている。ボルト孔４３は、前記各可動小梁５１が小梁収納部５２に収納された場合に配置される箇所、及び増床時に前記各可動小梁５１が引き出されて配置される箇所に合わせて形成されている。４本の可動小梁５１が設けられたこの実施形態では、図１の（ａ）、（ｂ）それぞれに示された可動小梁５１の配置箇所に合わせ、４箇所づつの計８箇所にボルト孔４３が形成されている。そして、各配置箇所において、上下に２つのボルト孔４３が設けられている。ウエブ４２の反吹き抜け側の面には、それぞれのボルト孔４３に合わせてナット４４が取り付けられている。
【００６１】
一方、フランジ４５には、その吹き抜け側の上下対向面（上フランジ４５ａの下面及び下フランジ４５ｂの上面）に、案内手段としての案内溝４６が形成されている。案内溝４６は、第２床梁４１ｃの延びる方向に沿って複数（実施形態では２条）形成されている。その形成範囲は、区画Ａ（図１（ａ）参照）の長辺部分Ａ１の全域となっている。
【００６２】
一方、第１床梁３１ａ側では、その第１床梁３１ａが建物１０の外壁部２７に沿って設けられ、第２床梁４１ｃ側のような境界部２３は存在していない。このため、外壁部２７を隔てた反吹き抜け側は、屋外空間となっている。外壁部２７は、断熱材や外壁パネル等によって構成されている。ただ、上下階連通部２５の内壁面に設けられた開口部５５によって第１床梁３１ａが露出していること、その開口部５５にキャップ５４が設けられている構成は同じである。また、第１床梁３１ａそのものの構成は、前記第２床梁４１ｃと同じ構成となっている。つまり、そのウエブ３２には、可動小梁５１の配置箇所に合わせてボルト孔３３及びナット３４が設けられている。また、フランジ３５の吹き抜け側の上下対向面には、二条の案内溝３６が形成されている。
【００６３】
続いて、上記被連結側に対する可動小梁５１側の構成について、図４を参照しながら説明する。図４は、可動小梁５１の一端部と第１床梁３１ａとの連結構成を示す分解斜視図である。
【００６４】
図４に示されているように、Ｈ形鋼よりなる可動小梁５１の端部には、被支持部としての仕口部材７１が設けられている。この仕口部材７１は他端部にも、同様の構成で設けられている。このため、各可動小梁５１にはそれぞれの両端部に仕口部材７１が設けられ、図示と同様の構成で第２床梁４１ｃとも連結されるようになっている。
【００６５】
仕口部材７１は、取付板部７２、上板部７３及び下板部７４とで構成されている。取付板部７２はＬ字状に形成され、その第１板部７２ａが可動小梁５１のウエブ５６に重ね合わされて、取付ボルト７５により取り付けられている。その取付状態では、取付板部７２の第２板部７２ｂが可動小梁５１の一端よりも側方に配置されている。その第２板部７２ｂには、上下に２つのボルト孔７６が設けられている。このボルト孔７６は、第１床梁３１ａに設けられたボルト孔４３に合わせた位置に設けられている。
【００６６】
前記上板部７３及び前記下板部７４は、前記取付板部７２が側方に突出する部分の上下面に取り付けられている。この上板部７３及び下板部７４は、それぞれ可動小梁５１のフランジ５７と平行をなす。上板部７３の上面と下板部７４の下面との間の寸法Ｈ１は、上フランジ５７ａと下フランジ５７ｂとの間の寸法Ｈ２よりも短くなっている。
【００６７】
前記上板部７３の上面、及び前記下板部７４の下面には、滑動手段としてのキャスター７７がそれぞれ設けられている。上下いずれのキャスター７７も、その回転体７７ａが可動小梁５１の延びる方向が回転軸となるように設置されている。この実施の形態では上下それぞれに２つのキャスター７７を有しており、その２つのキャスター７７が前記可動小梁５１の延びる方向に並んで配置されている。この場合、並んだ回転体７７ａ間の間隔は、被連結側の第１床梁３１ａに設けられた前記２条の案内溝３６間の間隔と略同じとなっている。また、上板部７３に設けられたキャスター７７の回転体７７ａ上端から、下板部７４に設けられたキャスター７７の回転体７７ａ下端までの寸法Ｈ３は、その案内溝３６の底面間の寸法Ｈ４と略同じになっている。
【００６８】
このような構成を有することにより、第１床梁３１ａに対する可動小梁５１の連結は次のようにして行われる。すなわち、第１床梁３１ａのフランジ３５間に、その一端側から、キャスター７７の回転体７７ａを案内溝３６に嵌め込みながら、仕口部材７１を挿入する。この挿入により、可動小梁５１の端部は、仕口部材７１の下板部７４に設けられたキャスター７７で支持される。仕口部材７１の取付板部７２は、その第２板部７２ｂが第１床梁３１ａのウエブ３２に重ね合わされて面接触した状態となる。このため、第２板部７２ｂが可動小梁５１の当接板部となる。このような連結構造は、可動小梁５１の他端部と第２床梁４１ｃとの関係でも同様に行われる。可動小梁５１の両端部でこのように面接触される構成も案内手段となる。
【００６９】
上下に設けられたキャスター７７の回転体７７ａが案内溝３６，４６に案内されながら回動することにより、可動小梁５１は、第１床梁３１ａ及び第２床梁４１ｃ（区画Ａの長辺部分Ａ１）の延びる方向に沿って移動可能となる。したがって、可動小梁５１の連結構造は、その可動小梁５１を移動させる移動機構を備えている。
【００７０】
図４において、第１床梁３１ａのウエブ３２に設けられたボルト孔４３は、可動小梁５１が小梁収納部５２に収納された場合に配置される箇所に設けられたものである。前記移動機構を利用して、仕口部材７１のボルト孔７６が第１床梁３１ａのボルト孔４３に合う位置に、可動小梁５１を移動させる。その状態で、両ボルト孔４３，７６に挿入された連結ボルト７８と第１床梁３１ａに設けられたナット４４とにより、取付板部７２の第２板部７２ｂが第１床梁３１ａのウエブ３２に取り付けられる（後述の図６参照）。これにより、可動小梁５１の両端部は、キャスター７７で支持された状態から、仕口部材７１を介して第１床梁３１ａ及び第２床梁４１ｃに仮連結された状態となる。
【００７１】
前記図３に示す各可動小梁５１は、上記のように仮連結された状態で、小梁収納部５２に収納されている。次に、上下階連通部２５に床を張って二階部分２２を増床すべく、収納された状態の各可動小梁５１を上下階連通部２５に引き出す作業について、図５及び図６を参照しながら説明する。図５は図１（ａ）におけるＺ−Ｚ断面図であり、（ａ）は可動小梁５１が収納された状態を示し、（ｂ）は各可動小梁５１が引き出された状態を示している。また、図６は、第１床梁３１ａと可動小梁５１の一端部との連結構造を示す図である。ここでは、第１床梁３１ａだけが断面とされている。
【００７２】
図５（ａ）に示されているように、増床時には、上下階連通部２５の内壁面に設けられたキャップ５４はすべて取り外される。これにより、可動小梁５１の引き出し口となる開口部５３や、その移動経路となる開口部５５が開放され、上下階連通部２５を囲う床梁３１ａ，４１ａ，４１ｃや収納状態の可動小梁５１が露出した状態となっている。そして、この状態から、収納中の各可動小梁５１を、開口部５３の手前側に配置されたものから順次、上下階連通部２５内へ引き出す。この場合、まずは連結ボルト７８による仮連結を解除すして、可動小梁５１の両端部が下側のキャスター７７によって支持された状態とする。この状態で可動小梁５１を引き出し方向へ引けば、上下のキャスター７７が案内溝３６，４６に案内されながら可動小梁５１は移動し、上下階連通部２５内に引き出される。
【００７３】
この場合、可動小梁５１は床梁３１，４１よりも高さ寸法が若干小さく形成されているため、床部６１の下面との干渉が緩和され、引き出されやすくなっている。また、キャスター７７が設けられていることにより、可動小梁５１の移動が円滑に行われる。さらに、キャスター７７が案内溝３６，４６に案内され、かつ可動小梁５１の両端が面接触状態とされているため、可動小梁５１の移動途中で、第１床梁３１ａと第２床梁４１ｃとの間に架け渡された状態から外れてしまうことが防止される。
【００７４】
こうして引き出された各可動小梁５１は、図５（ｂ）に示されているように、前記図１（ｂ）に示された配置箇所にそれぞれ配置される。それぞれの配置箇所には、第１床梁３１ａ及び第２床梁４１ｃにボルト孔３３，４３が形成されているため（図５（ａ）参照）、そのボルト孔３３，４３に仕口部材７１のボルト孔７６を合わせる。そして、図６に示されているように、両ボルト孔３３，４３，７６に挿入された連結ボルト７８と第１床梁３１ａに設けられたナット３４，４４とで、取付板部７２の第２板部７４ｂが第１床梁３１ａ又は第２床梁４１ｃのウエブ３２，４２に取り付けられる。これにより、引き出された可動小梁５１は、その両端部がそれぞれ第１床梁３１ａ又は第２床梁４1ｃに連結される。
【００７５】
ここでは、ボルト孔４３，７６同士が合う位置に可動小梁５１を移動させ、そこに連結ボルト７８を挿入してナット３４，４４に螺合させれば、可動小梁５１はその設置箇所に位置決めされる。このため、これらボルト孔３３，４３、ナット３４，４４及び連結ボルト７８を含んで位置決め手段が構成されている。
【００７６】
その後、図５（ｂ）に示されているように、第２床梁４１ａと可動小梁５１との間、及び隣り合う可動小梁５１同士の間に床構成材８１が設置されると、上下階連通部２５に床が張られ、二階部分２２が増床する。
【００７７】
以上をまとめると、この実施の形態によれば以下に示す有利な効果が得られる。
【００７８】
（１）小梁収納部５２に収納された可動小梁５１は、床梁３１ａ，４１ｃに同床梁３１ａ，４１ｃの延びる方向へ移動可能に支持されている。この可動小梁５１を上下階連通部２５に引き出した状態で床梁３１ａ，４１ｃに連結すれば、可動小梁５１を床構造体とする床を上下階連通部２５に形成できる。この増床は可動小梁５１を移動させることによって行われるため、新たな梁の設置等の大掛かりな作業を伴わないし、増床部分の床構造体として十分な強度を確保できる。すなわち、増床作業の容易化と、床構造としての十分な強度確保とを併せて実現できる。
【００７９】
（２）可動小梁５１を収納する小梁収納部５２は、上下階連通部２５の周辺領域、すなわち、区画Ａの短辺部分Ａ２の一方（第２床梁４１ｂ）と、上下階連通部２５の内壁面との間の階間２４に設けられている。このため、収納された可動小梁５１によって吹き抜け部分での開放感が阻害されない。
【００８０】
（３）小梁収納部５２では、可動小梁５１は区画Ａの短辺部分Ａ２となる第２床梁４１ａ，４１ｂと平行をなす状態で収納されている。このため、可動小梁５１と第２床梁４１ａ，４１ｂとの両者が非平行に配置される場合に比べて、その両者間に無駄に隙間が設けられず、コンパクトに可動小梁５１を収納できる。これにより、区画Ａにおいて、上下階連通部２５の開口面積をより広く確保できる。
【００８１】
（４）可動小梁５１の引き出し口となる開口部５３はキャップ５４によって塞がれており、可動小梁５１を引き出す場合にキャップ５４が取り外される。これにより、埃等が開口部５３を通じて小梁収納部５２に入り込むことを抑制できる。小梁収納部５２に埃等が入り込んで案内溝３６，４６に堆積すると、その埃等は可動小梁５１の移動に支障をきたす。このため、埃等の入り込みを抑制することの意義は大きい。また、キャップ５４の存在により、吹き抜け空間２６の美観を維持することもできる。
【００８２】
（５）床梁３１，４１と同じ高さ位置に設けられた可動小梁５１は、その高さ寸法が床梁３１，４１のそれよりも若干小さく形成されている。このため、可動小梁５１が引き出される場合に床部６１と干渉せず、可動小梁５１の移動が床部６１によって阻害されることがない。
【００８３】
（６）可動小梁５１両端の第１床梁３１ａ及び第２床梁４１ｃは形鋼によって構成され、そのフランジ３５，４５を利用して可動小梁５１を支持している。このため、可動小梁５１を支持するための支持部材を新たに設ける必要がなく、可動小梁５１の設置構成を簡易化できるし、その設置作業も容易に行える。
【００８４】
（７）可動小梁５１の被支持部となる仕口部材７１にはキャスター７７が設けられ、このキャスター７７がフランジ３５，４５上を転動することにより可動小梁５１は移動する。そのため、可動小梁５１の移動が円滑化し、増床作業の容易化を促進できる。
【００８５】
（８）フランジ３５，４５に案内溝３６，４６が形成され、その案内溝３６，４６に前記キャスター７７（案内部）が案内されるようになっている。しかも、可動小梁５１の両端部では、仕口部材７１の第２板部７２ｂが床梁３１ａ，４１ｃのウエブ３２，４２と面接触した状態で架け渡されている。このため、可動小梁５１はその移動中も床梁３１ａ，４１ｃに支持された状態が維持され、その移動中に外れてしまうことを防止できる。
【００８６】
（９）移動させた可動小梁５１は、仕口部材７１の第２板部７２ｂに設けられたボルト孔７６と、床梁３１ａ，４１ｃのウエブ３２，４２に設けられたボルト孔４３とが合わさった位置に配置される。そして、両ボルト孔４３，７６に連結ボルト７８を挿入すれば、可動小梁５１はその設置箇所に位置決めされる。この場合に、両ボルト孔４３，７６を完全に一致させなくても、連結ボルト７８を挿入してナット３４，４４に螺合させれば、可動小梁５１をその設置位置に確実に位置決めできる。また、床梁３１ａ，４１ｃ側のボルト孔４３は、吹き抜け部分の床構造体として必要な強度が確保される位置に設けられているため、増床時になって可動小梁５１の設置箇所を特定する必要がなく、増床作業の容易化を促進できる。
【００８７】
なお、以上説明した実施の形態に限らず、例えば以下に別例として示した形態で実施することもできる。
【００８８】
（ａ）上記実施の形態では、可動小梁５１を引き出して増床する場合だけを説明したが、いったん増床させた後に、再び上下階連通部２５が形成された元の状態に戻すことを行ってもよい。引き出された可動小梁５１と床梁３１ａ，４１ｃとは、ボルト孔４３，７６、連結ボルト７８及びナット３４，４４を含む連結手段を用いて連結されるため、連結ボルト７８の取り外しにより連結の解除が可能となる。つまり、可動小梁５１は着脱可能に連結されている。そこで、床構成材８１及び連結ボルト７８を取り外せば、可動小梁５１は再び移動可能な状態となる。そして、それを小梁収納部５２側に移動させて、再び、小梁収納部５２に収納させる。
【００８９】
これにより、吹き抜け部分の増床を必要に応じて行うことができる。例えば、通常時には上下階連通部２５を形成して屋内の開放感を向上させながら、一時的に増床が必要とされる場合（来客等によるスペース確保や高窓の掃除等）に吹き抜け部分を増床する、といったことが可能となる。
【００９０】
そして、このように必要に応じて吹き抜け部分を増床する場合、その増床部分の用途は様々で、増床部分に要求される強度もその用途に応じて異なる。例えば、増床部分の床上に、家具等を設置したり、複数人の存在を予定したりする場合は高い強度が必要となるが、高窓の掃除等の場合はそこまでの強度は要求されない。そこで、増床部分に要求される強度に応じて引き出される可動小梁５１の数を変更し、上下階連通部２５に設置される可動小梁５１の疎密を任意に設定してもよい。すべての可動小梁５１を引き出して床構造体として高い強度を確保したり（密な状態）、それより低い強度で足りる場合には一部の可動小梁５１だけの引き出しにとどめたりする（疎な状態）、というようにである。なお、一部の可動小梁５１のみを引き出す場合には、残りの可動小梁５１は小梁収納部５２に収納されたままの状態としておけばよい。
【００９１】
また、増床部分の用途によっては、上下階連通部２５のすべてに床を形成する必要がない場合もある。例えば、来客等によるスペース確保が必要となる場合でも、その人数次第では一部分の増床で足りることもあり得る。そのような場合には、床部分が必要となる範囲だけを増床するようにしてもよい。
【００９２】
（ｂ）上記実施の形態では、上下階連通部２５が形成されている部分を増床する場合について説明したが、その逆に、床形成されている部分に上下階連通部２５を形成するようにしてもよい。この場合、当初、可動小梁５１は床梁３１ａ，４１ｃに連結されて床構造体となっている。その状態から、連結ボルト７８を外して可動小梁５１の連結を解き、可動小梁５１を小梁収納部５２側へ移動させて、それにより形成された領域を上下階連通部２５とする。これにより、床形成されていた部分に吹き抜け空間２６を形成できる。
【００９３】
この別形態では、可動小梁５１を移動させることによって吹き抜け形成が行われるため、既存の梁を除去する等の大掛かりな作業を伴わない。また、元の床形成された部分では、床構造体として十分な強度が確保されている。したがって、吹き抜け形成作業の容易化と、床構造としての十分な強度確保とを併せて実現できる。
【００９４】
なお、ここでも、上下階連通部２５を形成した後に、可動小梁５１を元の位置に移動させれば、再び床を形成することができる。このため、床形成部分での一時的な吹き抜け形成が可能となり、その吹き抜け形成を必要に応じて行うことができる。例えば、上階窓からの採光も確保したい場合に、床形成部分に上下階連通部２５を形成するといったことが可能となる。
【００９５】
（ｃ）上記実施の形態では、可動小梁５１端部の被支持部である仕口部材７１は、床梁３１ａ，４１ｃのフランジ３５，４５を利用して支持されているが、例えばＬ字状をなす支持部材が床梁３１ａ，４１ｃに設けられた構成を採用してもよい。もっとも、可動小梁５１の設置構成の簡易化や、その設置作業を容易に行えるという点では、フランジ３５，４５を利用した方が好ましい。
【００９６】
（ｄ）上記実施の形態では、案内手段として、キャスター７７が案内溝３６，４６に案内される構成と、可動小梁５１の両端で面接触される構成との両者を採用しているが、その一方だけでもよい。また、キャスター７７によって案内手段が構成される場合でも、上記実施形態のように仕口部材７１の上下に設けられる必要はなく、そのいずれか一方で足りる。さらに、案内手段そのものを省略することも可能である。
【００９７】
（ｅ）上記実施の形態では、可動小梁５１の移動を円滑化する滑動手段としてのキャスター７７が設けられているが、仕口部材７１の下板部７４に樹脂を塗布する等により、フランジ３５，４５に支持される下面を円滑面とした構成を採用してもよい。また、キャスター７７を用いる場合には、その回転体７７ａを弾性体によって構成することが好ましい。こうすることで、弾性体よりなる回転体７７ａが床振動を軽減するダンパとしての機能を果たすことができるからである。さらに、キャスター７７等の滑動手段そのものを省略することも可能である。
【００９８】
（ｆ）上記実施の形態では、可動小梁５１の引き出し方向の一方側に小梁収納部５２が設けられているが、その両側に小梁収納部５２が設けられた構成を採用してもよい。例えば、区画Ａが図１（ａ）の図示よりもさらに横長とされた場合には、可動小梁５１が設置される本数も増加する。その増加した可動小梁５１が一方側だけに集められて収納されるのではなく、両側に分散して収納されるようにすれば、増床時に可動小梁５１を移動させる距離が短くなり、作業が容易になる。
【００９９】
（ｇ）上記実施の形態では、可動小梁５１は、床梁３１ａ，４１ｃ側のボルト孔３３，４３や連結ボルト７８等を用いた連結手段により、床梁３１ａ，４１ｃに対して着脱自在に連結されているが、溶接等によって着脱不能な状態に連結されるようにしてもよい。また、このボルト孔３３，４３や連結ボルト７８を用いた連結により、可動小梁５１はその設置箇所に位置決めされるようになっているが、そのような位置決め手段は省略してもよい。
【０１００】
位置決め手段が省略される場合には、可動小梁５１の設置箇所に、可動小梁５１が正確に設置されるように作業する必要がある。そこで、可動小梁５１がその設置箇所に配置されていない場合に警報を出力する警報機（報知手段）を備えるとよい。この場合、床梁３１ａ，４１ｃには、可動小梁５１の設置箇所に位置検出センサ（位置検出手段）が設置され、警報機は、その位置検出センサが非検出の場合に警告を報知する。これにより、作業者は可動小梁５１を移動させながらそれが所定の設置箇所に配置されたか否かを判断することができるため、作業性を向上させることができる。
【０１０１】
（ｈ）上記実施の形態では、床梁３１ａ，４１ｃ側にボルト孔３３，４３を形成することで位置決め手段が構成されているが、位置決めセンサを利用した位置決め手段を採用してもよい。この場合、位置決めセンサは、発光素子と受光素子とを有して、前記発光素子での発光を前記受光素子が受光した場合に信号を出力するものである。発光素子及び受光素子の一方が可動小梁５１に、他方が床梁３１ａ，４１ｃにおける可動小梁５１の設置箇所に設けられた構成とする。これにより、可動小梁５１がその設置箇所に配置されると、発光素子での発光を受光素子が受光して位置決めセンサから信号が出力される。この信号出力に基づいて、可動小梁５１がその設置箇所に配置されたことを確認できる。床梁３１ａ，４１ｃ側に設置された素子の位置を適宜に変更できるため、ボルト孔３３，４３を形成する構成とは異なり、可動小梁５１の設置箇所の変更を容易に行うことができる。
【０１０２】
（ｉ）上記実施の形態では、上下階連通部２５を有する区画Ａが平面視矩形状をなしているが、正方形をなすように形成されていてもよい。その場合には、可動小梁５１が架け渡される床梁３１，４１の延びる方向は限定されない。
【０１０３】
（ｊ）上記実施の形態では、鉄骨軸組工法によって建築された二階建て建物１０に具体化されているが、三階建て等の複数階建て建物であってもよい。また、ユニット工法や在来工法によって建てられた建物にも応用できる。そのユニット建物の場合には、下階ユニットの天井大梁及び上階ユニットの床大梁が第１固定梁及び第２固定梁に相当する。そして、一対の天井大梁間及び一対の床大梁間に、可動梁または増床用小梁に相当する可動小梁（可動天井小梁及び可動床小梁）が設けられる。
【符号の説明】
【０１０４】
１０…建物、２３…境界部、２４…階間、２５…吹き抜け開口部、３１，３１ａ…第１床梁、４１ａ〜４１ｃ…第２床梁、３２，４２…ウエブ、３３，４３…ボルト孔（連結手段、位置決め手段）、３４，４４…ナット、３５，４５…フランジ、３６，４６…案内溝（案内手段）、５１…可動小梁（可動梁、増床用小梁）、５２…小梁収納部、５３…開口部（引き出し口）、５４…キャップ（蓋部材）、６１…床部（面材）、６２…天井部（面材）、７１…仕口部材（被支持部）、７６…ボルト孔（連結手段、位置決め手段）、７８…連結ボルト（連結手段、位置決め手段）、Ａ…区画（吹き抜け用開口部）。
【図１】
2011226192.tif 000003
【図２】
2011226192.tif 000004
【図３】
2011226192.tif 000005
【図４】
2011226192.tif 000006
【図５】
2011226192.tif 000007
【図６】
2011226192.tif 000008
【図７】
2011226192.tif 000009